(57)【要約】【課題】  内壁パネルを軸組に固定する内壁パネル固定金具において、固定後の仕上がり状態に応じて内壁パネルの位置を微調整可能とする手段を提供する。【解決手段】  本内壁パネル固定金具４は、建物の軸組２に沿わせるようにして配置される基板１６と、該基板１６の裏面に突設され軸組２に係止される係止部材１７と、基板１６によって軸方向に移動不能に且つ周方向に回転可能に支持され、先端面にドライバを差し込むための溝１８ｂが形成されてなる調整ボルト１８と、上下方向に２個のネジ孔１９ａ,１９ｂが形成され一方のネジ孔１９ａに調整ボルト１８が裏面側から螺合された押圧板１９と、該押圧板１９の他方のネジ孔１９ｂに表面側から螺合され、頭部２０ａにドライバを差し込むための溝２０ｃが形成されてなる固定ネジ２０と、を具備するものである。【選択図】  図５
2006028893.tif 000002
【特許請求の範囲】
【請求項１】
一対の軸柱を隙間を開けて固定してなる建物の軸組の屋内側に内壁パネルを固定する内壁パネル固定金具において、
前記軸組の屋内側面に沿わせるようにして配置される基板と、該基板に一端が固定され他端側が裏面から突設され前記軸組の隙間を通って軸組の屋外側に係止される係止部材と、一端側が前記基板によって軸方向に移動不能に且つ周方向に回転可能に支持され、基板の屋内側へ突出している他端側の先端面にドライバを差し込むための溝が形成されてなる調整ボルトと、上下方向に２個のネジ孔が形成され一方のネジ孔に前記調整ボルトの他端側が前記軸組に面する裏面側から螺合された押圧板と、該押圧板の他方のネジ孔に表面側からその一端側が螺合され、他方側の頭部にドライバを差し込むための溝が形成されてなる固定ネジと、を具備することを特徴とする内壁パネル固定金具。
【請求項２】
前記基板に、前記調整ボルトを挿通させるための挿通孔が形成され、該挿通孔に、前記調整ボルトが前記基板の裏面側からその一端側の頭部を前記基板に当接させるまで挿通され、前記基板の屋内側へ突出した前記調整ボルトの軸部における前記基板の近傍位置に、前記挿通孔より大きいナットが固着されたことを特徴とする請求項１に記載の内壁パネル固定金具。
【請求項３】
前記係止部材は、前記軸組の隙間の幅より幅狭であって且つ該隙間の奥行きより長尺な部材の先端部に、前記隙間の幅より幅広な拡幅部が設けられてなるものであることを特徴とする請求項１又は２に記載の内壁パネル固定金具。
【請求項４】
一対の軸柱を隙間を開けて固定してなる建物の軸組の屋内側に内壁パネルを固定する内壁パネルの固定構造において、
基板と、該基板の裏面から突設された係止部材と、一端側が前記基板によって軸方向に移動不能に且つ周方向に回転可能に支持された調整ボルトと、上下方向に２個のネジ孔が形成され一方のネジ孔に前記調整ボルトの他端側が前記軸組に面する裏面側から螺合された押圧板と、該押圧板の他方のネジ孔に表面側からその一端側が螺合された固定ネジと、を具備してなる内壁パネル固定金具が、前記係止部材を前記軸組の隙間を通して軸組の屋外側に係止させるとともに前記基板を前記軸組の屋内側面に沿わせることにより前記軸組に取り付けられ、該内壁パネル固定金具の前記押圧板の表面と前記固定ネジの他端側の頭部との間に前記内壁パネルが挟持され、前記調整ボルトを回転させることにより、前記内壁パネルの位置を屋内側へ調整可能としたことを特徴とする内壁パネルの固定構造。
【請求項５】
前記固定ネジの頭部と前記内壁パネルの屋内側面との間に、前記固定ネジの頭部より大きい押さえプレートが介在されたことを特徴とする請求項４に記載の内壁パネルの固定構造。
【発明の詳細な説明】
【技術分野】
【０００１】
本発明は、住宅等の建物の内壁部において、内壁パネルを建物の軸組みに固定する内壁パネル固定金具に関し、特に、固定後の仕上がり状態に応じて内壁パネルの位置を微調整することが可能な内壁パネル固定金具に関する。
【背景技術】
【０００２】
従来、住宅等の建物における内壁部は、所定の間隔毎に設けられた複数の軸組の間に、内壁パネルを順次取り付けることで構成される。この内壁パネルの軸組への取り付けは、内壁パネルの両端部を、固定金具を用いて軸組にそれぞれ押し当てて固定することにより行うのが一般的である。図１５は、従来例に係る内壁部の構造を示す概略横断面図である（特許文献１参照）。図に示すように、内壁部８０は、木材等を枠組みした内壁枠８１に断熱材８２が取り付けられてなる内壁パネル８３が、その内壁枠８１を内壁パネル固定金具８４で軸組８５に押し当てられることで構成されている。
【０００３】
前記内壁パネル固定金具８４は、隣接する内壁パネル８３間に形成される空間８６に配置される金具本体８７と、該金具本体８７から棒状に突設され先端に拡幅部８８が形成された係止部材８９と、鋼板を湾曲させて形成され金具本体８７の裏面に固定された板バネ部材９０と、金具本体８７に対して係止部材８９と逆側から螺合されたネジ部材９１と、該ネジ部材９１に装着された押さえプレート９２と、を具備してなるものである。この内壁パネル固定金具８４の係止部材８９を、その拡幅部８８が縦向きになるようにして軸組８５の隙間９３に挿入し、板バネ部材９０を押し潰すようにして金具本体８７を軸組８５に押し付けた後、金具本体８７を９０°回転させる。これにより、係止部材８９の拡幅部８８が軸組８５に係止されると共に、板バネ部材９０が元の状態に復帰しようとすることで金具本体８７には軸組８５から離間する方向への力が作用するので、係止部材８９の軸組８５への係止が保持され、内壁パネル固定金具８４は軸組８５に沿って下方へずれ落ちないようになっている。
【０００４】
内壁パネル固定金具８４を軸組８５に取り付けた後、該内壁パネル固定金具８４の左右両側から内壁パネル８３をそれぞれ建て込み、内壁パネル８３の屋内側面から突出したネジ部材９１を、ドライバ等を用いて回転させることで屋外側にねじ込む。これにより、ネジ部材９１に装着された押さえプレート９２によって内壁枠８１が軸組８５に押し当てられ、内壁パネル８３はその両端部が軸組８５に固定されるものとなっている。
【０００５】
【特許文献１】特開平１０−２５２１９０号公報
【発明の開示】
【発明が解決しようとする課題】
【０００６】
しかし、従来の内壁パネル固定金具８４では、内壁パネル８３を軸組８５に押し当てて固定するため、内壁パネル８３の仕上がり状態、例えば、内壁パネル８３の垂直性を表す「建ち」や、各内壁パネル８３が一直線に並んでいる度合いを表す「通り」は、主として軸組８５の寸法精度や取付精度等に依存するものとなっている。従って、内壁部８０の施工後に建ちや通りを確認した結果、予め定められた基準値以内に入っていない場合、この誤差を修正すべく内壁パネル８３の位置を微調整する手段としては、前記ネジ部材９１を一旦緩め、内壁枠８１と軸組８５との間に木片を挟んだり、内壁枠８１を削ったりした上でネジ部材９１を締め直す方法が用いられている。しかし、このような調整作業は施工能率を低下させ、また、高い精度を出すには作業者の熟練が必要とされる、という問題がある。
【０００７】
本発明は、このような問題に鑑みてなされたものであり、内壁パネルを軸組に固定する内壁パネル固定金具において、固定後の仕上がり状態に応じて内壁パネルの位置を微調整可能とする手段を提供する。
【課題を解決するための手段】
【０００８】
上記目的を達成するための請求項１の発明は、一対の軸柱を隙間を開けて固定してなる建物の軸組の屋内側に内壁パネルを固定する内壁パネル固定金具において、前記軸組の屋内側面に沿わせるようにして配置される基板と、該基板に一端が固定され他端側が裏面から突設され前記軸組の隙間を通って軸組の屋外側に係止される係止部材と、一端側が前記基板によって軸方向に移動不能に且つ周方向に回転可能に支持され、基板の屋内側へ突出している他端側の先端面にドライバを差し込むための溝が形成されてなる調整ボルトと、上下方向に２個のネジ孔が形成され一方のネジ孔に前記調整ボルトの他端側が前記軸組に面する裏面側から螺合された押圧板と、該押圧板の他方のネジ孔に表面側からその一端側が螺合され、他方側の頭部にドライバを差し込むための溝が形成されてなる固定ネジと、を具備するものである。
【０００９】
請求項２の発明は、前記基板に、前記調整ボルトを挿通させるための挿通孔が形成され、該挿通孔に、前記調整ボルトが前記基板の裏面側からその一端側の頭部を前記基板に当接させるまで挿通され、前記基板の屋内側へ突出した前記調整ボルトの軸部における前記基板の近傍位置に、前記挿通孔より大きいナットが固着されたものである。
【００１０】
請求項３の発明は、前記係止部材は、前記軸組の隙間の幅より幅狭であって且つ該隙間の奥行きより長尺な部材の先端部に、前記隙間の幅より幅広な拡幅部が設けられてなるものである。
【００１１】
請求項４の発明は、一対の軸柱を隙間を開けて固定してなる建物の軸組の屋内側に内壁パネルを固定する内壁パネルの固定構造において、基板と、該基板の裏面から突設された係止部材と、一端側が前記基板によって軸方向に移動不能に且つ周方向に回転可能に支持された調整ボルトと、上下方向に２個のネジ孔が形成され一方のネジ孔に前記調整ボルトの他端側が前記軸組に面する裏面側から螺合された押圧板と、該押圧板の他方のネジ孔に表面側からその一端側が螺合された固定ネジと、を具備してなる内壁パネル固定金具が、前記係止部材を前記軸組の隙間を通して軸組の屋外側に係止させるとともに前記基板を前記軸組の屋内側面に沿わせることにより前記軸組に取り付けられ、該内壁パネル固定金具の前記押圧板の表面と前記固定ネジの他端側の頭部との間に前記内壁パネルが挟持され、前記調整ボルトを回転させることにより、前記内壁パネルの位置を屋内側へ調整可能としたものである。
【００１２】
請求項５の発明は、前記固定ネジの頭部と前記内壁パネルの屋内側面との間に、前記固定ネジの頭部より大きい押さえプレートが介在されたものである。
【発明の効果】
【００１３】
本発明に係る内壁パネル固定金具によれば、一対の軸柱を隙間を開けて固定してなる建物の軸組の屋内側に内壁パネルを固定する内壁パネル固定金具において、軸組の屋内側面に沿わせるようにして配置される基板と、該基板に一端が固定され他端側が裏面から突設され軸組の隙間を通って軸組の屋外側に係止される係止部材と、一端側が基板によって軸方向に移動不能に且つ周方向に回転可能に支持され、基板の屋内側へ突出している他端側の先端面にドライバを差し込むための溝が形成されてなる調整ボルトと、上下方向に２個のネジ孔が形成され一方のネジ孔に調整ボルトの他端側が軸組に面する裏面側から螺合された押圧板と、該押圧板の他方のネジ孔に表面側からその一端側が螺合され、他方側の頭部にドライバを差し込むための溝が形成されてなる固定ネジと、を具備したので、
内壁パネルを軸組に押し当てて固定した後に、その仕上がり状態に応じて、内壁パネルの位置を屋内側から容易に調整することができる。すなわち、軸組に内壁パネル固定金具を取り付け、該内壁パネル固定金具の側方に内壁パネルを建て込んで固定ボルトを締め付けることで内壁パネルを軸組に押し当てて固定した後に、調整ボルトの先端面の溝にドライバ等を差し込んで回転させる。これに伴い、調整ボルトに螺合された押圧板が調整ボルトの軸部に沿って屋内側へ移動し、該押圧板が内壁パネルと当接して屋内側へ押圧することにより、内壁パネルが屋内側へ移動する。これにより、内壁パネルの高い精度の仕上がりを達成することができる。
【００１４】
また、本発明によれば、基板に、調整ボルトを挿通させるための挿通孔が形成され、該挿通孔に、調整ボルトが基板の裏面側からその一端側の頭部を基板に当接させるまで挿通され、基板の屋内側へ突出した調整ボルトの軸部における基板の近傍位置に、挿通孔より大きいナットが固着されたので、簡易な構成で、調整ボルトを基板によって軸方向に移動不能に且つ周方向に回転可能に支持することができ、施工性の向上及びコストダウンを図ることができる。
【００１５】
また、本発明によれば、係止部材は、軸組の隙間の幅より幅狭であって且つ該隙間の奥行きより長尺な部材の先端部に、隙間の幅より幅広な拡幅部が設けられてなるものなので、該係止部材を縦向きにして軸組の隙間に挿入し、９０°回転させて係止部材を横向きにするだけの容易な作業により、係止部材を軸組に係止させることができる。
【００１６】
また、本発明に係る内壁パネルの固定構造によれば、一対の軸柱を隙間を開けて固定してなる建物の軸組の屋内側に内壁パネルを固定する内壁パネルの固定構造において、基板と、該基板の裏面から突設された係止部材と、一端側が基板によって軸方向に移動不能に且つ周方向に回転可能に支持された調整ボルトと、上下方向に２個のネジ孔が形成され一方のネジ孔に調整ボルトの他端側が軸組に面する裏面側から螺合された押圧板と、該押圧板の他方のネジ孔に表面側からその一端側が螺合された固定ネジと、を具備してなる内壁パネル固定金具が、係止部材を軸組の隙間を通して軸組の屋外側に係止させるとともに基板を軸組の屋内側面に沿わせることにより軸組に取り付けられ、該内壁パネル固定金具の前記押圧板の表面と固定ネジの他端側の頭部との間に内壁パネルが挟持され、調整ボルトを回転させることにより、内壁パネルの位置を屋内側へ調整可能としたので、
内壁パネルを軸組に押し当てて固定した後に、その仕上がり状態に応じて、内壁パネルの位置を屋内側から容易に調整することができる。すなわち、軸組に内壁パネル固定金具を取り付け、該内壁パネル固定金具の側方に内壁パネルを建て込んで固定ボルトを締め付けることで内壁パネルを軸組に押し当てて固定した後に、調整ボルトを回転させる。これにより、押圧板が調整ボルトの軸部に沿って屋内側へ移動し、これに従って内壁パネルも屋内側へ移動する。従って、内壁パネルの高い精度の仕上がりを達成することができる。
【００１７】
また、本発明によれば、固定ネジの頭部と内壁パネルの屋内側面との間に、固定ネジの頭部より大きい押さえプレートが介在されたので、固定ネジの頭部と内壁パネルの屋内側面との接触面積を広くして、固定ネジの締結力をより確実に内壁パネルに伝達することができる。
【実施例】
【００１８】
以下、本発明の実施例に係る建物の内壁部の構造について図面に基づいて説明する。図１乃至図６は、本内壁部の構造を示す図であり、図１は内壁パネルの位置調整前における内壁部の状態を示す概略平面図、図２は図１におけるＡ−Ａ線断面図、図３は内壁パネルの位置調整中における内壁部の状態を示す概略平面図、図４は図３におけるＢ−Ｂ線断面図、図５は内壁パネルの位置調整後における内壁部の状態を示す概略平面図、図６は図５におけるＣ−Ｃ線断面図である。図１乃至図６に示すように、内壁部１は、建物の軸組２の屋内側に、複数の断熱内壁パネル３が相隣接するようにして配置され、相隣接する断熱内壁パネル３のうち一方の断熱内壁パネル３の右端部と他方の断熱内壁パネル３の左端部とが、内壁パネル固定金具４によって軸組２に固定されることにより構成されている。
【００１９】
前記軸組２は、図に詳細は示さないが、いわゆるＣ型鋼からなる左右一対の軸柱５と、該軸柱５に直交する上下一対の軸桟とが略矩形に枠組みされ、その内部に、補強のための中柱や中桟やＸ字状の耐力ブレース等が設けられてなる従来公知のものである。このように構成される複数の軸組２が、図１に示すように、所定間隔の隙間をあけて相隣接するように配置され、互いに隣接する軸組２の軸柱５同士が図示しないボルト等により固定されている。
【００２０】
前記断熱内壁パネル３は、図７に示すように、左右一対の縦柱６の間に複数の横桟７が架設されてなる内壁枠８と、該内壁枠８の縦柱６及び横桟７によって囲まれる空間９に充填された合成樹脂断熱材１０と、内壁枠８の屋外側面を覆うようにして設けられた易変形断熱材１１と、内壁枠８の屋内側面全体に貼設された防湿シート１２と、を具備してなるものである。
【００２１】
内壁枠８を構成する縦柱６及び横桟７は、木製の角材からなり、図１に示すように、縦柱６には、その屋外側面と側端面とが交差して形成される隅部に切欠き１３が形成されている。これにより、相隣接する断熱内壁パネル３の間には、各断熱内壁パネル３の切欠き１３が向かい合うことで空隙１４が形成され、この空隙１４に内壁パネル固定金具４を配設することにより、各断熱内壁パネル３と内壁パネル固定金具４との干渉が防止されている。尚、本実施例では、内壁枠８を木製のものとしたが、これに限られず、例えば内壁枠８を鋼材を用いたメタルフレームとすることも可能である。
【００２２】
合成樹脂断熱材１０は、ポリスチレン、フェノール樹脂等の合成樹脂の発泡体からなるものであり、一般的に断熱材として用いられるグラスウールやロックウール等より高い断熱性能を有する一方、押圧による変形はグラスウール等ほど大きくなく、柔軟性は劣る。この合成樹脂断熱材１０は、前記内壁枠８の縦柱６及び横桟７によって囲まれる空間９と略等しい大きさの矩形に裁断され、その厚みは内壁枠８と同程度である。この合成樹脂断熱材１０が、前記空間９に嵌め込まれ、内壁枠８に両面テープ等により固定されている。
【００２３】
易変形断熱材１１は、例えばグラスウール、ロックウール等の繊維状のものであり、押圧を受けることにより容易に変形可能なものである。この易変形断熱材１１は、予め、内壁枠８に合わせて適度な大きさに裁断され、繊維が解けたりしないように袋体に詰められている。易変形断熱材１１の大きさは、内壁枠８と同程度であって、縦柱６間に納まる程度のものであり、厚みは内壁枠８の厚みより大きいものが好ましい。このように構成された易変形断熱材１１は、図７に示すように、タッカー１５を用いて横桟７に固定する。
【００２４】
図８及び図９は、前記内壁パネル固定金具４の概略構成を示す図であり、図８は斜視図、図９は分解斜視図である。図８及び図９に示すように、内壁パネル固定金具４は、前記軸組２の屋内側面に沿わせるようにして配置される基板１６と、該基板１６の裏面から突出して設けられ軸組２の屋外側に係止される係止部材１７と、基板１６の表面側に突出して設けられ断熱内壁パネル３の位置調整を行うための調整ボルト１８と、該調整ボルト１８に螺合され断熱内壁パネル３を屋内側へ押圧する押圧板１９と、該押圧板１９の表面側から螺合され断熱内壁パネル３を軸組２に固定するための固定ネジ２０と、該固定ネジ２０の頭部２０ａに取り付けられる押さえプレート２１、とを具備してなるものである。尚、本発明において、基板１６及び押圧板１９の表面・裏面とは、内壁パネル固定金具４を軸組２に取り付けた際の屋内側面・屋外側面を意味している。
【００２５】
基板１６は、図９に示すように、略矩形の鋼板の上下両端部を裏面側に略９０°曲折して曲折部１６ａを形成したものである。この上下の各曲折部１６ａの幅方向中央部には、嵌合突片１６ｂがそれぞれ突設され、該嵌合突片１６ｂは、隣接する軸組２の隙間２２に嵌合する形状となっている。これにより、図１に示すように、内壁パネル固定金具４を軸組２に取り付ける際に、嵌合突片１６ｂを軸組２の隙間２２に嵌合させるようにして基板１６を配置することで、内壁パネル固定金具４の水平方向への位置ズレを防止することが可能となっている。また、図９に示すように、基板１６の幅方向中央部には、前記係止部材１７を挿通させるための上挿通孔１６ｃが、その鉛直下方には、前記調整ボルト１８を挿通させるための下挿通孔１６ｄがそれぞれ形成されている。
【００２６】
係止部材１７は、図９に示すように、鋼製の丸棒の一端部にネジ部１７ａが、他端部に幅広な拡幅部１７ｂが設けられてなるものである。この係止部材１７は、丸棒部分とネジ部１７ａの外径が軸組２の隙間２２の幅より小さくなるように、且つ、拡幅部１７ｂが、平面視では前記隙間２２の幅より幅広であって、側面視では前記隙間２２の幅より幅狭となるように形成されている。これにより、係止部材１７は、拡幅部１７ｂを縦向きにした場合には前記隙間２２を通過することができ、拡幅部１７ｂを横向きにした場合には前記隙間２２を通過できないものとなっている。また、係止部材１７の長さは前記隙間２２の奥行きより若干長くなっている。このように構成される係止部材１７が、図８及び図９に示すように、基板１６の裏面側から上挿通孔１６ｃに挿通され、基板１６の表面側に突出したネジ部１７ａにナット２３が螺合されることにより、基板１６に固定されている。
【００２７】
調整ボルト１８は、図９に示すように、その軸部１８ａの全長に渡ってネジ部が設けられ、先端面にスリワリ１８ｂ、すなわちマイナスドライバで回転させるための直線形の溝が形成されてなるものである。この調整ボルト１８の頭部１８ｃは、図２に示すように、内壁パネル固定金具４を軸組２に取り付けた時に、軸組２と基板１６との間に生じる空間２４の内部に収容可能な大きさとなっている。また、調整ボルト１８の軸部１８ａの長さは、断熱内壁パネル３を構成する縦柱６の厚みより若干短くなっている。これにより、図２に示すように、内壁パネル固定金具４によって断熱内壁パネル３を軸組２に押し当てて固定した時に、調整ボルト１８の軸部１８ａ先端面が断熱内壁パネル３の屋内側面３ａより若干屋外側に位置するので、その後の作業の邪魔とならず、且つ、図１３に示すように、隣接する断熱内壁パネル３間の目地２５に屋内側からマイナスドライバＭＤを差し込んで調整ボルト１８を回転させる作業が行い易くなっている。このように構成される調整ボルト１８を、図８及び図９に示すように、基板１６の裏面側から下挿通孔１６ｄに、その頭部１８ｃを基板１６に当接させるまで挿通し、基板１６の表面側に突出した軸部１８ａに、基板１６の近傍位置に達するまでナット２６を螺合した上で、該ナット２６を溶接等により軸部１８ａに固着している。これにより、調整ボルト１８は、基板１６によって、周方向に回転可能に且つ軸方向に移動不能に支持されている。
【００２８】
押圧板１９は、図８及び図９に示すように、略矩形の鋼板の左右両端部を裏面側に略９０°曲折したものである。この押圧板１９の幅方向中央部には、前記調整ボルト１８を螺合させるための上ネジ孔１９ａが、その鉛直下方には、前記固定ネジ２０を螺合させるための下ネジ孔１９ｂがそれぞれ形成されている。この押圧板１９の幅寸法は、図１に示すように、相隣接する断熱内壁パネル３の前記切欠き１３が向かい合うことで形成される空隙１４の内部に収容可能な範囲でなるべく大きくすることが好適である。このようにすることで、断熱内壁パネル３との接触面積をなるべく大きくして、断熱内壁パネル３に対してより確実に押圧力を伝達させることができる。
【００２９】
このように構成される押圧板１９の裏面側から、前記調整ボルト１８が上ネジ孔１９ａに螺合されている。これにより、調整ボルト１８を前記スリワリ１８ｂ側から見て右回りに回転させた場合、前述のように調整ボルト１８は軸方向への移動が規制されているため、押圧板１９が調整ボルト１８の軸部１８ａに沿ってスリワリ１８ｂ側へ移動するものとなっている。ここで、調整ボルト１８の軸部１８ａにおける押圧板１９の初期位置、すなわち調整ボルト１８を回転させる前の押圧板１９の位置は、断熱内壁パネル３の前記切欠き１３の大きさを考慮して適宜設定する必要がある。より詳細に説明するに、押圧板１９の初期位置が調整ボルト１８の頭部１８ｃから離れ過ぎていると、断熱内壁パネル３を建て込む作業を行う際に、押圧板１９が断熱内壁パネル３と干渉するという問題が生じる。一方、押圧板１９の初期位置が調整ボルト１８の頭部１８ｃに近過ぎると、調整ボルト１８を回転させて断熱内壁パネル３の位置調整を行う際に、初期位置から断熱内壁パネル３に当接する位置までの移動距離が長くなる分、調整ボルト１８を多く回転させる必要があり作業に手間を要するという問題がある。従って、押圧板１９の初期位置は、断熱内壁パネル３の建て込み作業時に断熱内壁パネル３と干渉しない範囲で、なるべく調整ボルト１８の頭部１８ｃから離れた位置とすることが好適である。
【００３０】
固定ネジ２０は、いわゆる十字穴付き皿小ネジであって、図８及び図９に示すように、軸部２０ｂの一端部にネジ部が、他端部に皿状の頭部２０ａがそれぞれ設けられ、頭部２０ａにプラスドライバを差し込むための十字型の溝２０ｃが形成されてなるものである。この固定ネジ２０の長さは、図２に示すように、断熱内壁パネル３を構成する縦柱６の厚みより若干短くなっている。これにより、固定ネジ２０の頭部２０ａが断熱内壁パネル３の屋内側面３ａに当接した状態において、固定ネジ２０の先端は軸組２に接触しないものとなっている。また、固定ネジ２０の頭部２０ａを皿状としたことにより、断熱内壁パネル３の固定後に、断熱内壁パネル３の屋内側に図示しない石膏ボード等を取り付ける場合に、固定ネジ２０の頭部２０ａが邪魔にならないようになっている。
【００３１】
このように構成される固定ネジ２０が、図８及び図９に示すように、押圧板１９の表面側から下ネジ孔１９ｂに螺合されている。ここで、初期状態、すなわち固定ネジ２０を回転させる前における、固定ネジ２０の押圧板１９への螺入深さは、断熱内壁パネル３の縦柱６の厚みを考慮して適宜設定する必要がある。より詳細に説明するに、固定ネジ２０を押圧板１９へ深く螺入し過ぎると、断熱内壁パネル３を建て込む作業を行う際に、固定ネジ２０の頭部２０ａが断熱内壁パネル３と干渉するという問題が生じる。一方、固定ネジ２０の押圧板１９への螺入が浅過ぎると、固定ネジ２０を回転させて断熱内壁パネル３を軸組２に固定する際に、固定ネジ２０の頭部２０ａが初期位置から断熱内壁パネル３の屋内側面３ａに当接する位置まで移動する距離が長くなる分、固定ネジ２０を多く回転させる必要があり作業に手間を要するという問題がある。従って、初期状態における固定ネジ２０の押圧板１９への螺入深さは、断熱内壁パネル３の建て込み作業時に頭部２０ａが断熱内壁パネル３に干渉しない範囲で、なるべく深く螺入することが好適である。
【００３２】
押さえプレート２１は、固定ネジ２０の頭部２０ａと断熱内壁パネル３の屋内側面３ａとの接触面積を広くすることで、固定ネジ２０の締結力をより確実に断熱内壁パネル３に伝達するためのものである。この押さえプレート２１は、図８に示すように、直径が固定ネジ２０の頭部２０ａより大きな円盤状の平板であって、固定ネジ２０の頭部２０ａに装着された時に、押さえプレート２１の表面と固定ネジ２０の表面とが面一となるように、押さえプレート２１の表面から固定ネジ２０の頭部２０ａの厚み分だけ段落ちした段落ち部２１ａが設けられ、該段落ち部２１ａに略Ｔ字状の嵌入溝２１ｂが形成されている。該押さえプレート２１は、図に詳細は示さないが、傾斜させた状態で固定ネジ２０の上方から頭部２０ａへと落とし込み、前方に押し出すように回動させることにより、固定ネジ２０の頭部２０ａに装着することができる。従って、固定ネジ２０を押圧板１９に螺合させた後でも、押さえプレート２１を固定ネジ２０の頭部２０ａに装着することが可能となっている。尚、本発明において押さえプレート２１は必須の構成要件ではなく、固定ネジ２０の頭部２０ａを断熱内壁パネル３の屋内側面３ａと直接当接させることももちろん可能である。
【００３３】
以下、本実施例に係る内壁部１の施工手順について説明する。まず、内壁パネル固定金具４を軸組２に取り付ける。すなわち、図１０に示すように、内壁パネル固定金具４の係止部材１７を、拡幅部１７ｂを縦向きにして軸組２の隙間２２へ挿入し、拡幅部１７ｂが軸組２の屋外側へ突出するまで挿通させた後、係止部材１７を９０°回転させて屋内側へと引き寄せる。これにより、図１に示すように、拡幅部１７ｂが軸組２に係止される。この状態において、図１１に示すように、基板１６を上下の各嵌合突片１６ｂが隙間２２にそれぞれ嵌合するようにして軸組２に押し当て、ナット２３を締め付ける。これにより、内壁パネル固定金具４が軸組２に固定される。更に、図に詳細は示していないが、これと同様にして、軸組２に沿って所定間隔ごとに複数の内壁パネル固定金具４を順次取り付ける。
【００３４】
次に、断熱内壁パネル３の建て込みを行う。すなわち、図１１に示すように、軸組２に固定された内壁パネル固定金具４の左右両側から、断熱内壁パネル３を、縦柱６の屋外側面を軸組２の屋内側面に当接させ、且つ、図１２に示すように、隣接する断熱内壁パネル３間に軸組２の隙間２２と略等しい幅の目地２５を設けるようにしてそれぞれ配置する。この時、内壁パネル固定金具４は、図１及び図２に示すように、基板１６及び押圧板１９が、各縦柱６の切欠き１３が向かい合うことで形成される空隙１４内に収容されるとともに、図１２に示すように、調整ボルト１８は目地２５を通って先端部が断熱内壁パネル３の屋内側面３ａより若干屋外側に位置し、固定ネジ２０は目地２５を通って頭部２０ａが断熱内壁パネル３の屋内側面３ａより突出した状態となっている。
【００３５】
次に、断熱内壁パネル３を軸組２に固定する。すなわち、図１２に示すように、固定ネジ２０の頭部２０ａに押さえプレート２１を装着し、頭部２０ａの十字溝２０ｃにプラスドライバＰＤ等を差し込んで右回転させることにより、固定ネジ２０を屋外側へねじ込む。これにより、図１及び図２に示すように、押さえプレート２１が断熱内壁パネル３の屋内側面３ａに当接して屋外側へ押圧し、断熱内壁パネル３は軸組２に押し当てられて固定される。また、この時、押圧板１９は断熱内壁パネル３から離間した状態となっている。
【００３６】
次に、内壁部１の仕上がり状態を確認する。すなわち、図に詳細は示さないが、水糸またはクロスライン等を用いて断熱内壁パネル３の通りを測定し、ボード定規等を用いて断熱内壁パネル３の建ちを測定し、これらが予め定められた基準値内に入っているかどうかを確認する。
【００３７】
次に、仕上がり状態に応じて断熱内壁パネル３の位置を調整する。すなわち、断熱内壁パネル３の建ち・通りの測定結果が基準値内に入っていない場合、これを基準値内に入るよう修正する。この場合、図１３に示すように、調整ボルト１８の先端面に形成されたスリワリ１８ｂに、マイナスドライバＭＤやマイナスビット等を差し込んで右回転させる。これに伴い、図３及び図４に示すように、押圧板１９が調整ボルト１８の軸部１８ａに沿って屋内側へ移動し、縦柱６に当接して屋内側へ押圧することにより、断熱内壁パネル３が屋内側へ移動するものとなっている。また、この時、図３及び図４に示すように、押圧板１９に螺合された固定ネジ２０は、押圧板１９に従って屋内側へ移動するため、押圧板１９が前記初期位置から断熱内壁パネル３に当接するまでの移動距離分だけ、固定ネジ２０の頭部２０ａ及び押さえプレート２１は、断熱内壁パネル３の屋内側面３ａから屋内側へ浮き上がった状態となっている。従って、図１４に示すように、固定ネジ２０の頭部２０ａの十字溝２０ｃにプラスドライバＰＤ等を差し込んで右回転させ、押さえプレート２１が断熱内壁パネル３の屋内側面３ａに当接するまで固定ネジ２０を屋外側へねじ込む。これにより、断熱内壁パネル３は、図５及び図６に示すように、押圧板１９と押さえプレート２１との間に挟持され、その位置が固定される。
【００３８】
このように、断熱内壁パネル３を所望の距離ｄだけ屋内側へ移動させて位置固定した後、再びその建ち・通りを測定する。測定結果が基準値内に入っていなければ、断熱内壁パネル３の屋内側への移動と、建ち・通りの測定とを、測定結果が基準値内に入るまで繰り返す。尚、断熱内壁パネル３を屋内側へ移動させ過ぎた場合には、調整ボルト１８を左回転させることにより、押圧板１９を調整ボルト１８に沿って屋外側へ移動させ、これに伴って断熱内壁パネル３を屋外側へ若干移動させることができる。
【００３９】
以上述べたように、本発明に係る内壁パネル固定金具４によれば、断熱内壁パネル３を軸組２に押し当てて固定した後においても、その仕上がり状態に応じて、屋内側からの簡単な作業を行うだけで、断熱内壁パネル３の位置を微調整することができる。これにより、内壁部１において高い精度の仕上がりを達成することが可能となる。尚、内壁パネル固定金具４は、本実施例では、内壁部１において断熱内壁パネル３を軸組２に固定するものとして用いているが、基板１６や係止部材１７等の形状を適宜変更することにより、内壁部１以外の場所においても、パネル化された部材の位置調整金具として使用することが可能である。
【図面の簡単な説明】
【００４０】
【図１】断熱内壁パネル３の位置調整前における内壁部１の状態を示す概略平面図。
【図２】図１におけるＡ−Ａ線断面図。
【図３】断熱内壁パネル３の位置調整中における内壁部１の状態を示す概略平面図。
【図４】図３におけるＢ−Ｂ線断面図。
【図５】断熱内壁パネル３の位置調整後における内壁部１の状態を示す概略平面図。
【図６】図５におけるＣ−Ｃ線断面図。
【図７】断熱内壁パネル３の構成を示す分解斜視図。
【図８】内壁パネル固定金具４の構成を示す概略斜視図。
【図９】内壁パネル固定金具４の構成を示す分解斜視図。
【図１０】本実施例に係る内壁部１の施工手順を説明するための説明図。
【図１１】本実施例に係る内壁部１の施工手順を説明するための説明図。
【図１２】本実施例に係る内壁部１の施工手順を説明するための説明図。
【図１３】本実施例に係る内壁部１の施工手順を説明するための説明図。
【図１４】本実施例に係る内壁部１の施工手順を説明するための説明図。
【図１５】従来例に係る内壁部８０の構造を示す概略横断面図。
【符号の説明】
【００４１】
２  軸組
３  断熱内壁パネル（内壁パネル）
３ａ  屋内側面
４  内壁パネル固定金具
１６  基板
１６ｄ  下挿通孔（挿通孔）
１７  係止部材
１７ｂ  拡幅部
１８  調整ボルト
１８ａ  軸部
１８ｂ  スリワリ（溝）
１８ｃ  頭部
１９  押圧板
１９ａ  上ネジ孔
１９ｂ  下ネジ孔
２０  固定ネジ
２０ａ  頭部
２０ｃ  十字溝（溝）
２１  押さえプレート
２２  隙間
２６  ナット
ＭＤ  マイナスドライバ（ドライバ）
ＰＤ  プラスドライバ（ドライバ）
【図１】
2006028893.tif 000003
【図２】
2006028893.tif 000004
【図３】
2006028893.tif 000005
【図４】
2006028893.tif 000006
【図５】
2006028893.tif 000007
【図６】
2006028893.tif 000008
【図７】
2006028893.tif 000009
【図８】
2006028893.tif 000010
【図９】
2006028893.tif 000011
【図１０】
2006028893.tif 000012
【図１１】
2006028893.tif 000013
【図１２】
2006028893.tif 000014
【図１３】
2006028893.tif 000015
【図１４】
2006028893.tif 000016
【図１５】
2006028893.tif 000017